(57)【特許請求の範囲】
【請求項１】
発進立坑と到達立坑にわたって埋設される鞘管の両端に止水部を設け、鞘管内に貯留した液体の浮力を利用して鞘管内に管体を挿入する浮力を利用した鞘管内への管体挿入装置であって、
前記鞘管の発進立坑側の開口端の止水部には前記鞘管と前記管体との間を液密に封止するともに弾性変形可能な第１のシールと第２のシールが、前記管体の基端側から先端側に向けて互いに間隔をあけて設けられ、
第１のシールは、前記鞘管の内側であってかつ前記鞘管の中心から少なくとも左右方向の一方にずれた位置に配置され、しかも、外形を円形状とされるとともに中央部には前記管体を挿通させる挿通孔が形成され、
第２のシールは、前記管体の基端側からみて前記第１のシールが存する領域と前記鞘管内の液体が抜かれて前記管体が前記鞘管内の最下部に位置するときに該管体が存する領域とを覆うように、外形を長円形状または楕円形状とされ、
前記第２のシールには、前記管体の基端側からみて第１のシールの挿通孔と同じ位置に、前記管体を挿通させる挿通孔が形成されていることを特徴とする浮力を利用した鞘管内への管体挿入装置。
【請求項２】
前記第１のシールは、外形が円形状とされたシール押さえにより押さえられて固定され、
前記第２のシールは、外形が長円形状または楕円形状のシール押さえにより押さえられて固定されていることを特徴とする請求項１に記載の浮力を利用した鞘管内への管体挿入装置。
【請求項３】
前記第１のシールの外方には、前記管体の下面を移動可能に支持する下面支持ローラと、前記管体の外側面を移動可能に支持する側面支持ローラが備えられていることを特徴とする請求項１または２に記載の浮力を利用した鞘管内への管体挿入装置。
【請求項４】
請求項１〜３のいずれかに記載の浮力を利用した鞘管内への管体挿入装置を用いて、前記鞘管内に前記管体を挿入する浮力を利用した鞘管内への管体挿入方法であって、
前記管体を、前記鞘管の中心から少なくとも左右方向のいずれかにずれた位置から前記第１のシール及び第２のシールのそれぞれの挿通孔を挿通させて前記鞘管内に挿入する管体挿入工程と、
前記第１のシールを撤去した後、前記鞘管から内部の液体を抜く抜液工程と、
を備えることを特徴とする浮力を利用した鞘管内への管体挿入方法。
【発明の詳細な説明】
【技術分野】
【０００１】
本発明は、地中に埋設された鞘管内に浮力を利用して管体を挿入する管体挿入装置及び管体挿入方法に関する。
【背景技術】
【０００２】
地中に埋設された鞘管内に液体を注入し、この液体による浮力を利用して鞘管内に管体を挿入する技術が下記特許文献１に開示されている。
すなわち、特許文献１には、図１５、図１６に示すように、発進立坑１００から到達立坑１０１に向けて埋設される鞘管１０２の両端に止水部１０３，１０４を設け、鞘管１０２内に貯留した例えば水１０５の浮力を利用することで、鞘管１０２との摩擦を極力抑えて鞘管１０２内に管体１０６を挿入する技術が開示されている。
【０００３】
ここでは、発進立坑１００側の止水部１０３が、中央に挿通孔を有する弾性変形可能な板状のシール１０３Ａ、１０３Ｂを互いに間隔をあけて設けるとともに、それらシール１０３Ａ、１０３Ｂの間に排水部１０７を設けた構造になっている。そして、管体挿入作業の中で、管体１０６に取り付けたスペーサ１０６Ａがシール１０３Ａを乗り越えるときに、シール１０３Ｂが機能して鞘管１０２の内部の水が発進立坑１００内に漏れるのを防ぎ、また、スペーサ１０６Ａがシール１０３Ｂを乗り越えるときに、シール１０３Ａが機能して鞘管１０２の内部の水が発進立坑１００内に漏れるのを防ぐ。
なお、スペーサ１０６Ａがシール１０３Ｂを乗り越えるときに、鞘管１０２内の水がシール１０３Ｂを超えて、シール１０３Ａ、１０３Ｂ間に流出するが、ここに流出した水は、スペーサ１０６Ａがシール１０３Ｂを乗り越えた後に、排水部１０７から速やかに外部へ排出される。
なお、図１５において、符号１０８は管体１０６の基端側を押圧移動させる管体移動手段である走行架台、符号１０９は鞘管１０２内の水面を調整する液面調整用のタンクをそれぞれ示す。
【先行技術文献】
【特許文献】
【０００４】
【特許文献１】特開２０００−２９１８２７号公報
【発明の概要】
【発明が解決しようとする課題】
【０００５】
ところで、上述の浮力を利用した鞘管内への管体を挿入する技術にあっては、敷設しようとする管体１０６のセット位置が平面的に湾曲している場合、管体挿入作業の際に、鞘管１０２の端部において管体１０６が左右方向のいずれか一方にずれ込むのに伴い、シール１０３Ａ、１０３Ｂに大きな荷重が加わる。これに伴い、シール１０３Ａ、１０３Ｂが損傷する、あるいは管体１０６と鞘管１０２との間の摩擦が大きくなって、管体１０６を押圧して移動させる走行架台１０８に過大な負担がかかるという問題があった。
【０００６】
このように施工する管体１０６のセット位置が平面的に湾曲している場合、止水部のシール１０３Ａ、１０３Ｂの位置を図１６中Ｘａ、Ｘｂに示すように左右方向のいずれかに予めずらしてセットし、この状態で管体１０６を挿入することが考えられる。
しかしながら、管体挿入作業完了の後、鞘管１０２内の液体を抜くときに、管体１０６が水から浮力を受けなくなって鞘管１０２内の最下部まで移動しようとするが、この場合、前述したようにシール１０３Ａ、１０３Ｂが予め左右にずらしてセットされているため、これらシール１０３Ａ、１０３Ｂが管体１０６の移動を阻止することとなり、管体１０６を鞘管１０２内の最下部まで移動させることができない、あるいは管体１０６が鞘管１０２内の最下部に移動するとき、シール１０３Ａ、１０３Ｂに過度な荷重がかかって損傷し、そこから鞘管１０２内の水が漏れるといった不具合の発生が懸念される。
【０００７】
この発明は、上述した事情に鑑みてなされたものであって、管体のセット位置が平面的に湾曲している場合であっても、管体挿入作業の際に、止水部に過度な荷重が加わることなく、また、挿入作業完了後において鞘管内の液体を抜くときに、管体を鞘管の最下部まで速やかに移動させることができ、かつ、止水部の損傷を防いで、鞘管内の液が漏れ出るのを防止することができる、浮力を利用した鞘管内への管体挿入装置及び管体挿入方法を提供する。
【課題を解決するための手段】
【０００８】
上記課題を解決するために、この発明は以下の手段を提案している。
すなわち、本願の請求項１に係る浮力を利用した鞘管内への管体挿入装置では、発進立坑と到達立坑にわたって埋設される鞘管の両端に止水部を設け、鞘管内に貯留した液体の浮力を利用して鞘管内に管体を挿入する浮力を利用した鞘管内への管体挿入装置であって、前記鞘管の発進立坑側の開口端の止水部には前記鞘管と前記管体との間を液密に封止する第１のシールと第２のシールが前記管体の基端側から先端側に向けて互いに間隔をあけて設けられ、第１のシールは、前記鞘管の内側であってかつ前記鞘管の中心から少なくとも左右方向の一方にずれた位置に配置され、しかも、外形を円形状とされるとともに中央部には前記管体を挿通させる挿通孔が形成され、第２のシールは、前記管体の基端側からみて前記第１のシールが存する領域と前記鞘管内の液体が抜かれて前記管体が前記鞘管内の最下部に位置するときに該管体が存する領域を覆うように、外形を長円形状または楕円形状とされ、前記第２のシールには、前記管体の基端側からみて第１のシールの挿通孔と同じ位置に、前記管体を挿通させる挿通孔が形成されていることを特徴とする。
【０００９】
この発明によれば、管体のセット位置が平面的に湾曲している場合に、第１のシール及び第２のシールの挿通孔が予め、鞘管の中心から左方あるいは右方にずれて配置されているため、管体挿入作業の際に、第１のシール及び第２のシールに管体から大きな荷重が加わることがなく、それら第１のシール及び第２のシールが損傷したり、あるいは管体を押圧移動させる管体移動手段に過大な負担がかかったりすることがない。
また、管体挿入作業完了の後、第１のシールを撤去すれば、もともと第２のシールは、管体の基端側からみて鞘管内の最下部に位置するときの管体の領域を覆うように長円形状または楕円形状に形成されているため、鞘管から液体を抜くときに、液体から浮力を受けなくなった管体が鞘管内の最下部に移動しようとした場合、第２のシールが管体の移動を阻止することがない。また、このとき、第２のシールに過度な荷重がかかることがなく、第２のシールから鞘管内の液体が漏れ出ることもない。
【００１０】
本願の請求項２に係る浮力を利用した鞘管内への管体挿入装置では、前記第１のシールは、外形が円形状とされたシール押さえにより押さえられて固定され、前記第２のシールは、外形が長円形状または楕円形状のシール押さえにより押さえられて固定されていることを特徴とする。
【００１１】
本発明によれば、第１のシール及び第２のシールは、それぞれそれらシールと同形状のシール押さえによって固定されるため、それら第１のシール及び第２のシールが強固に固定されることとなり、そこから鞘管からの液が漏れ出るのを防止できる。
【００１２】
本願の請求項３に係る浮力を利用した鞘管内への管体挿入装置は、前記管体の下面を移動可能に支持する下面支持ローラと、前記管体の外側面を移動可能に支持する側面支持ローラが備えられていることを特徴とする。
【００１３】
本発明によれば、挿入しようとする管体の下面を下面支持ローラが支持し、同管体の外側面を側面支持ローラが支持するので、管体を鞘管内に挿入するとき、第１のシール及び第２のシールや鞘管に過度な荷重が加わることなく、また、管体を押圧移動させる管体移動手段の押圧負荷も軽減できる。
【００１４】
本願の請求項４に係る浮力を利用した鞘管内への管体挿入方法は、請求項１〜３のいずれかに記載の浮力を利用した鞘管内への管体挿入装置を用いて、前記鞘管内に前記管体を挿入する浮力を利用した鞘管内への管体挿入方法であって、前記管体を、前記鞘管の中心から少なくとも左右方向のいずれかにずれた位置から前記第１のシール及び第２のシールのそれぞれの挿通孔を挿通させて前記鞘管内に挿入する管体挿入工程と、前記第１のシールを撤去した後、前記鞘管から内部の液体を抜く抜液工程と、を備えることを特徴とする。
【００１５】
本発明によれば、管体を鞘管の中心から少なくとも左右方向のいずれかにずれた位置から鞘管内へ挿入するので、管体のスムーズな挿入が行える。また、挿入作業完了後の鞘管内の液体を抜くときに、予め第１のシールを撤去しているので、管体の鞘管内の最下部への移動をスムーズに行え、また、第２のシールを損傷することもない。
【発明の効果】
【００１６】
本願の請求項１に係る浮力を利用した鞘管内への管体挿入装置では、管体挿入作業の際に、第１のシール及び第２のシールに管体から大きな荷重が加わることがなく、それら第１のシール及び第２のシールが損傷したり、あるいは管体を押圧移動させる管体移動手段に過大な負担がかかったりすることがない。また、管体挿入作業完了の後、鞘管から液体を抜くときに、管体の鞘管内の最下部への移動をスムーズに行え、また、第２のシールを損傷することもない。
【００１７】
本願の請求項２に係る浮力を利用した鞘管内への管体挿入装置では、第１のシール及び第２のシールを強固に固定することができ、そこから鞘管内の液体が漏れ出るのを防止できる。
【００１８】
本願の請求項３に係る浮力を利用した鞘管内への管体挿入装置では、管体を鞘管内に挿入するとき、側面支持ローラ及び下面支持ローラが荷重反力を受けるので、第１のシール及び第２のシールや鞘管に過度な荷重が加わることなく、また、管体を押圧移動させる管体移動手段の押圧負荷も軽減できる。
【００１９】
本願の請求項４に係る浮力を利用した鞘管内への管体挿入方法では、前述した請求項１〜３に係る発明と同様の効果を奏する。
【図面の簡単な説明】
【００２０】
【図１】本発明の浮力を利用した鞘管内への管体挿入装置の実施形態の要部断面図である。
【図２】図１のＩＩ矢視図である。
【図３】鞘管接続フランジの正面図である。
【図４】鞘管接続フランジの側面図である。
【図５】第２のシールの正面図である。
【図６】第２のシールを押さえる押さえフランジの正面図である。
【図７】止水部本体の正面図である。
【図８】止水部本体の側面図である。
【図９】第１のシールの正面図である。
【図１０】第１のシールを押さえる押さえフランジの正面図である。
【図１１】管体位置決め治具の正面図である。
【図１２】管体位置決め治具の側面図である。
【図１３】側面支持部の正面図である。
【図１４】側面支持部の側面図である。
【図１５】従来の浮力を利用した鞘管内への管体挿入装置を示す一部を断面した側面図である。
【図１６】図１５のＸＶＩ矢視図である。
【発明を実施するための形態】
【００２１】
本発明の実施形態について図１〜図１４を参照して説明する。
これらの図では、発進立坑と到達立坑にわたって埋設される鞘管の両端の止水部のうちの発進立坑側の止水部の詳細を表しており、到達立坑の止水部及び管体の基端側を押圧移動させる走行架台や鞘管内の液面を調整する液面調整手段については背景技術で説明したものと同様の構成であるので、ここではそれらについての説明は省略する。
図１は本発明の浮力を利用した鞘管内への管体挿入装置の実施形態の要部断面図、図２は図１のＩＩ矢視図である。
【００２２】
図１、２において、符号１は鞘管、符号２は敷設の対象となる管体を示す。鞘管１は、管体２を設置する際の防食被覆の損傷防止や設置後の管体保護のため、予め発進立坑と到達立坑にわたって地中に埋設されるものであり、管体の外側に設ける外管のほか、老朽化した既設管も含まれる。管体２の外側にはスペーサ２Ａが、管体２の長さ方向に沿って所定間隔置きに取り付けられている。
鞘管の発進立坑側の開口端の止水部には、管体挿入作業の際に、鞘管１と前記管体２との間を液密に封止する、弾性変形可能な第１のシール３と第２のシール４が、前記管体２の基端側から先端側に向けて互いに間隔をあけて設けられている。図１において、左側が管体２の基端側、右側が管体２の先端側である。これらシール３，４については、後ほど詳しく説明する。
【００２３】
鞘管１の発進立坑側の開口端には鞘管接続フランジ６が、鞘管１に対して液密に保持された状態で取り付けられている。図３は鞘管接続フランジの正面図、図４は鞘管接続フランジの側面図である。これらの図に示すように、鞘管接続フランジ６は、鞘管側に配置され、鞘管１とほぼ同一径とされて上部が切り欠かれるとともに中央部が切り欠かれた略半円状の鞘管側接続板部７と、止水部本体１０側に配置され、外形が第２のシール４と同様の長円形状とされ中央が切りかかれた止水部本体側接続板部８と、それら両接続板部７、８の間に配された断面円弧状の連結板部９を有する。連結板部９の下部には排液部９Ａが設けられ、鞘管側接続板部７、止水部本体側接続板部８及び連結板部９によって囲まれた空間に液体が溜まった場合に、この排液部９Ａを介して外部へ液体を排出できるようになっている。
【００２４】
鞘管接続フランジ６の止水部本体側接続板部８には第２のシール４が、鞘管１とは逆側から、シール上部を止水部本体１０の一方のフランジ１１に押圧されて、また、シール下部を止水部本体１０とは別体とされた押さえフランジ１０Ａによって押圧されて固定されている。
【００２５】
図５は第２のシール４の正面図である。図５に示すように第２のシール４は、外形を長円形状に形成され、上部中央には管体２を挿通させるための挿通孔４Ａが形成されている。第２のシール４は、適宜弾性変形可能な材料、例えばゴム板から作られる。これは、後述する第１のシール３も同様である。
図６は第２のシール４を押さえる押さえフランジ１０Ａの正面図である。図６に示すように、押さえフランジ１０Ａは、止水部本体側接続板部８において止水部本体１０のフランジ１１で押圧できない部分（重ならない部分）を覆うものであり、略リング状の斜め上半分が切り欠かれた形状になっている。
つまり、第２のシール４は、協働するフランジ１１及び押さえフランジ１０Ａの両シール押さえによりその外周部を押圧されて、鞘管接続フランジ６と止水部本体１０の間に挟まれた状態で固定される。
【００２６】
図７は止水部本体１０の正面図、図８は止水部本体１０の側面図である。これらの図に示すように、止水部本体１０は、鞘管接続フランジ６側に配置され、スペーサ２Ａの外形よりも若干大きい径とされたリング状のフランジ１１と、鞘管接続フランジ６側とは逆側に配置され、前記一方のフランジ１１と同一形状とされたフランジ１２と、これら両フランジ１１，１２の配された断面リング状の連結板部１３を有する。連結板部１３には排液部１３Ａが設けられ、フランジ１１、１２及び連結板部１３によって囲まれた空間に液が溜まった場合、この排液部１３Ａを介して外部へ液が排出できるようになっている。なお、連結板部１３の上部は開放されている。
【００２７】
止水部本体１０の他方のフランジ１２には、前記第１のシール３が鞘管接続フランジ６とは逆側から、押さえフランジ１４によって押圧されて固定されている（図９、図１０参照）。
図９は第１のシール３の正面図である。図９に示すように第１のシール３は、外形を円形状に形成され、上部中央には管体２を挿通させるための挿通孔３Ａが形成されている。
ここで、第１のシール３は、図２にも示すように、鞘管１の内側であってかつ鞘管１の中心から左右方向の一方（図２では左方）にずれた位置に配置されている。一方、第２のシール４は、管体２の基端側からみて（図１における左側からみて）第１のシール３が存する領域（領域の中心を図中Ｃａで示す）と鞘管１内の液体が抜かれて管体２が鞘管１内の最下部に位置するときに該管体２が存する領域（領域の中心をＣｂで示す）とを覆うように、外形を長円形状とされている（図５参照）。
また、第２のシール４の挿通孔４Ａは、管体２の基端側からみて第１のシール３の挿通孔３Ａと同じ位置に形成されている。
【００２８】
第１のシール３の外方、すなわち管体２の基端側には、管体２の下面を移動可能に支持するとともに管体の位置決めを行う管体位置決め治具１５が設けられている。
図１１は管体位置決め治具１５の正面図、図１２は管体位置決め治具１５の側面図である。管体位置決め治具１５は止水部本体１０のフランジ１２に支持されている。なお、管体位置決め治具１５は、走行架台あるいは鞘管から延びるステーによって支持されてもよい。図１１、図１２に示すように、管体位置決め治具１５は、左右のネジ機構１６Ａ、１６Ｂによって、高さ並びに傾きが調整可能な支持台１７上に、管体２の下面を移動可能に支持する下面支持ローラ１８Ａ、１８Ｂが適宜間隔をあけて互いに上部が接近するように傾斜角を有して取り付けられた構成になっている。
【００２９】
また、第１のシール３の外方には、管体２の外側面を移動可能に支持する側面支持部１９が上下に適宜間隔をあけて、止水部本体１０のフランジ１２に取り付けられている。図１３は側面支持部１９の正面図、図１４は側面支持部１９の側面図である。これらの図に示すように側面支持部１９は、前記フランジ１２に取り付けられたローラ支持台２０に、管体２の外側面を移動可能に支持する側面支持ローラ２１が支持された構成になっている。
【００３０】
次に、前記構成の浮力を利用した鞘管内への管体挿入装置を用いた管体挿入方法について説明する。
まず、鞘管１の両端に止水部をそれぞれセットする。発進立坑側の開口端の止水部では、図１、図２に示すように、第１のシール３、第２のシール４を備えた止水部をセットする。そして、第１のシール３及び第２のシール４のそれぞれの挿通孔３Ａ、４Ａを挿通するように、敷設対象となる管体２をセットする。この状態で、鞘管１内に液体、例えば水を所定高さとなるまで注入する。
【００３１】
そして、走行架台等の管体移動手段（図示略）で、管体２の基端側を押圧移動させながら管体２を鞘管１内に挿入する。この作業は、管体２を継ぎ足しながら、管体２の先端が到達立坑側の止水部まで達するまで順次行う。
このとき、鞘管１内の水の浮力を利用して管体２を支持するので、鞘管１と管体２との摩擦が少なくなり、もって、管体２をスムーズに鞘管１内に挿入することできる。
【００３２】
また、管体２のセット位置が平面的に湾曲している場合に、第１のシール３及び第２のシール４の挿通孔３Ａ、４Ａを予め、鞘管１の中心から左方にずれて配置しているため、管体挿入作業の際に、第１のシール３及び第２のシール４に管体２から大きな荷重が加わることを回避することができる。このため、それら第１のシール３及び第２のシール４が損傷したり、あるいは管体２を押圧移動させる管体移動手段に過大な負担がかかったりすることがない。
【００３３】
加えて、この実施形態では、挿入しようとする管体２の下面を管体位置決め治具１５によって移動可能に支持し、また、同管体２の外側面を側面支持部１９によって移動可能に支持しているので、管体２を鞘管１内に挿入するとき、第１のシール３及び第２のシール４や鞘管１に、過度な荷重が加わるのをより一層回避できる。
【００３４】
管体挿入作業が完了すると、管体位置決め治具１５、側面支持部１９、第１のシール３並びに止水部本体１０を、それらを固定しているボルトを取り外すことで撤去する。このとき、第２のシール４が鞘管１と管体２との間を液密に保持するので、鞘管１内の水が発進立坑内に漏れ出ることはない。
【００３５】
次に、鞘管１内の水を抜く。このとき、水から浮力を受けなくなった管体２が鞘管１内の最下部に移動しようとする。ここでは、第１のシール３及び止水部本体１０を予め撤去しており、しかも、第２のシール４を、管体２の基端側からみて鞘管１内の最下部に位置するときの管体２の領域を覆うように長円形状に形成しているため、管体２の鞘管１内の最下部への移動を、第２のシール４が阻害することがない。つまり、管体２の鞘管１内の最下部へスムーズに移動させることができる。また、このとき、第２のシール４に過度な荷重がかかることがなく、第２のシール４が損傷してそこから鞘管１内に水が漏れ出といった事態も避けることができる。
【００３６】
以上、本発明の実施形態について図面を参照して詳述したが、具体的な構成はこの実施形態に限られるものではなく、本発明の要旨を逸脱しない範囲の設計変更等も含まれる。
例えば、前記実施形態では、第１のシール３の外方に管体位置決め治具１５及び側面支持部１９を設けたが、敷設する管体２の平面的湾曲の曲率が小さく、管体挿入作業の際に止水部が受ける反力荷重が小さい場合には、これら管体位置決め治具１５及び側面支持部１９を設けなくても良い。
また、前記実施形態では、管体２の基端側から見て第１のシール３を鞘管１の中心から左方にずらしているが、これに限られることなく、敷設する管体２の平面的湾曲が逆方向に曲がる場合には、逆に右方にずらしてもよい。
また、実施形態では、管体２の基端側から見て第１のシール３の外周縁が鞘管１の内面にかかる程度まで左方にずらしているが、これに限られることなく、ずれ量はそれよりも小さな値でもよい。
また、管体２の湾曲が鉛直方向に沿う場合には、第１のシール３を鞘管１の中心か上下方向へずらしても良い。
また、前記実施形態では、第２のシール４を長円形状に形成しているが、これに限られることなく、楕円形状に形成しても良い。
【産業上の利用可能性】
【００３７】
本発明は、地中に埋設された鞘管内に浮力を利用して管体を挿入する管体挿入装置及び管体挿入方法に関する。
【符号の説明】
【００３８】
１  鞘管
２  管体
２Ａ  スペーサ
３  第１のシール
４  第２のシール
４Ａ  挿通孔
６  鞘管接続フランジ
１０  止水部本体
１１  フランジ１１（シール押さえ）
１２  押さえフランジ（シール押さえ）
１４  押さえフランジ（シール押さえ）
１５  管体位置決め治具
１８Ａ、１８Ｂ  下面支持ローラ
１９  側面支持部
２１  側面支持ローラ
【図１】
0005667920.tif 000002
【図２】
0005667920.tif 000003
【図３】
0005667920.tif 000004
【図４】
0005667920.tif 000005
【図５】
0005667920.tif 000006
【図６】
0005667920.tif 000007
【図７】
0005667920.tif 000008
【図８】
0005667920.tif 000009
【図９】
0005667920.tif 000010
【図１０】
0005667920.tif 000011
【図１１】
0005667920.tif 000012
【図１２】
0005667920.tif 000013
【図１３】
0005667920.tif 000014
【図１４】
0005667920.tif 000015
【図１５】
0005667920.tif 000016
【図１６】
0005667920.tif 000017